(57)【要約】この発明は、シガレットすなわちシガレットのブロック(１３)のためのフリップトップ型パケットに関する。この発明によれば、内側キャビティすなわち室(５０)が、蓋(１１)と底部壁(１７)の領域内にそれぞれ形成される。この目的で、前部壁(２１)と底部壁(１７)は、部分的に、または、全面的に丸みが付与されて前部壁(２１)または底部壁(１７)と直方体のシガレットブロック(１３)との間に距離が創り出される。【選択図】    図１
2007500657.tif 000002
【特許請求の範囲】
【請求項１】
１枚の内側ブランクに包まれたシガレットグループ‐シガレットブロック(１３)‐またはパックの内容物としての他の(ブロック形態の)物品のためのヒンジ蓋付きボックスであって、ボックス部(１０)と、ボックスの後部壁(１５)および蓋の後部壁(１９)の領域において、横断方向を向く直線の関節(２２)によって、ピボット可能な態様で互いに接続された蓋(１１)とを含み、前記ボックス部(１０)は、ボックスの前部壁(１４)と、ボックスの後部壁(１５)と、ボックスの両側部壁(１６)と、底部壁(１７)とを含み、前記蓋(１１)は、蓋の前部壁(１８)と、蓋の後部壁(１９)と、蓋の両側部壁(２０)と、上部壁(２１)とを含み、
以下の点すなわち、少なくとも、上部壁(２１)と、蓋の上部壁(１８)と、蓋の後部壁(１９)とのそれぞれによって、そして、底部壁(１７)と、ボックスの前部壁(１４)と、ボックスの後部壁(１５)とのそれぞれによって、パックの内容物、特にシガレットブロック(１３)の直上部または直下部に、外側方向に向かって区画される空洞部または自由な室(５０，５１)が、形成される点を特徴とするヒンジ蓋付きボックス。
【請求項２】
上部壁(２１)および/または底部壁(１７)は、少なくとも１つのサブ領域に、パックの内容物、‐シガレットブロック(１３)‐の直上または直下に間隔を置いて延出する‐好ましくは、少なくとも１つのサブ領域に、パックの内容物から一様ではない間隔を備える面内に延出する点を特徴とする請求項１に記載のヒンジ蓋付きボックス。
【請求項３】
上部壁(２１)および/または底部壁(１７)は、形状の異なる複数の領域、特に、蓋の両側部壁(２０)および/またはボックスの両側部壁(１６)の方向を向く２つの側部セクション(２５)および中央領域(２６)を含み、前記側部セクション(２５)と中央セクション(２６)は、異なる形状であるか、および/または、異なる面内に位置している点を特徴とする請求項１または２に記載のヒンジ蓋付きボックス。
【請求項４】
上部壁(２１)および/または底部壁(１７)は、全体または大部分がアーチ状の設計であり、詳細には、蓋の側部壁(２０)の一方から他方へ、および/または、ボックスの側部壁(１６)の一方から他方へと延出する点を特徴とする請求項１〜３のいずれか１項に記載のヒンジ蓋付きボックス。
【請求項５】
上部壁(２１)および/または底部壁(１７)の横方向サブ領域、特に、側部セクション(２５)は、蓋の側部壁(２０)および/またはボックスの側部壁(１６)の連続部分として、好ましくは、(内側の)蓋の側部タブ(３０)および/またはボックスの側部タブ(２９)の端部タブ(２７，２８)の延出部分として設計される点を特徴とする請求項１〜４のいずれか１項に記載のヒンジ蓋付きボックス。
【請求項６】
上部壁(２１)および/または底部壁(１７)は、中央領域、特に、中央セクション(２６)において、特に、上部壁(２１)および/または底部壁(１７)の外側に配置されたクロスピース(３５)によって、特に、端部タブ(２７，２８)の端部領域が、クロスピース(３５)の内側に固定される少なくとも二重層の設計である点を特徴とする請求項１〜５のいずれか１項に記載のヒンジ蓋付きボックス。
【請求項７】
上部壁(２１)および/または底部壁(１７)は、円形の側部セクション(２５)と横断方向を向く平坦な中央セクション(２６)を有し、好ましくは、前記側部セクション(２５)が少なくとも部分的に長円の設計または長円の一部の設計を備え、前記側部セクション(２５)が、比較的顕著な曲率(比較的小さい半径)で側部壁(１６，２０)に接し、水平な中央領域、すなわち、中央セクション(２６)へと遷移する点を特徴とする請求項４〜６のいずれか１項に記載のヒンジ蓋付きボックス。
【請求項８】
蓋の前部壁(１８)と蓋の後部壁(１９)、および、ボックスの前部壁(１４)とボックスの後部壁(１５)は、上部壁(２１)と底部壁(１７)の輪郭に適合され、中央領域において、クロスピース(３５)によって、互いに接続される点を特徴とする請求項１〜７のいずれか１項に記載のヒンジ蓋付きボックス。
【請求項９】
上部壁(２１)および/または底部壁(１７)は、クロスピース(３５)の外側のサブ領域において、蓋の前部壁(１８)と蓋の後部壁(１９)および/またはボックスの前部壁(１４)とボックスの後部壁(１５)の自由エッジ部に、好ましくは、端部タブ(２７，２８)に設けられた拡幅部分(４２)を介して支持される点を特徴とする請求項１〜８のいずれか１項に記載のヒンジ蓋付きボックス。
【請求項１０】
室(５０)は、上部壁(２１)の対応する設計によってシガレットブロック(１３)の上方において上部壁(２１)の領域にのみに形成される点、および、底部壁(４８)は、シガレットブロック(１３)が前記底部壁(４８)の内側と向き合って接するように、平坦な態様で設計される点を特徴とする請求項１〜９のいずれか１項に記載のヒンジ蓋付きボックス。
【請求項１１】
上部壁(２１)および/または底部壁(１７)は、互いに対し或る角度をなして延出する複数の平坦なセクション、特に、２つの斜めを向く側部セクション(２５)、および、水平な、横断方向を向く中央セクション(２６)を含み、前記の斜めを向く側部セクション(２５)は、側部壁(２０，１６)および中央セクション(２６)と鈍角をなして隣接する点を特徴とする請求項１〜１０のいずれか１項に記載のヒンジ蓋付きボックス。
【請求項１２】
少なくともシガレットブロック(１３)の上方に形成される室(５０)は、断面が台形の設計である点を特徴とする請求項１１に記載のヒンジ蓋付きボックス。
【請求項１３】
上部壁(２１)は、斜め方向に向かい、好ましくは、全体が、すなわち、全幅に亘って平坦面をなす設計を有し、シガレットブロック(１３)の上方に屋根状設計の室(５０)が形成される点を特徴とする請求項１〜１２のいずれか１項に記載のヒンジ蓋付きボックス。
【請求項１４】
端部タブ(２７，２８)は、少なくとも一方の側の蓋の側部壁(２０)の面内において、シガレットブロック(１３)を越えて延出され、シガレットブロックの上方に離間する上部壁(２１)の(斜め方向を向く)面内で折り重ねられ、外縁エッジ部(５４，５５)を形成し、内側においてこの上部壁と向き合って接する点を特徴とする請求項１３に記載のヒンジ蓋付きボックス。
【請求項１５】
上部壁(２１)および/または底部壁(１７)は、パックの内容物‐シガレットブロック(１３)‐から、好ましくは、室(５０)が、横方向の領域よりは中央のサブ領域において、小距離だけ離間され、横方向の拡幅部または２つのサブ室を有する点を特徴とする請求項１〜１４のいずれか１項に記載のヒンジ蓋付きボックス。
【請求項１６】
端部タブ(２７，２８)は、蓋の側部壁(２０)の面を越えて延出され、鋭角をなして曲折され、外縁エッジ部(５４，５５)の領域において斜め下方を向き、クロスピース(３５)の内側において水平方向に折り曲げられた１つの上部脚部(５２)を有する点を特徴とする請求項１５に記載のヒンジ蓋付きボックス。
【請求項１７】
上部壁(２１)および/または底部壁(１７)のサブ領域、特に、蓋の側部壁(２０)および/またはボックスの側部壁(１６)の端部タブ(２７，２８)は、好ましくは、上部壁(２１)または底部壁(１７)および/または隣接領域に形成された端部タブ(２７，２８)を介して、蓋の前部壁(１８)、蓋の後部壁(１９)、および/または、ボックスの前部壁(１４)およびボックスの後部壁(１５)の自由な外縁エッジ部と向き合って接する点を特徴とする請求項１〜１６のいずれか１項に記載のヒンジ蓋付きボックス。
【発明の詳細な説明】
【技術分野】
【０００１】
この発明は、１枚の内側ブランクに包まれたシガレットグループ−シガレットブロック−またはその他の(ブロック形態の)物品用のヒンジ蓋付きボックスに関し、前記ボックスは、ボックス部と、ボックスの後部壁と蓋の後部壁の領域において横断方向を向く直線状の関節によって互いに接続される蓋部と、ボックスの前部壁と、ボックスの後部壁と、ボックスの両側部壁と、底部壁とを含むボックス部と、蓋の前部壁と、蓋の後部壁と、蓋の両側部壁と、上部壁を含む蓋を含む。
【背景技術】
【０００２】
ヒンジ蓋付きボックスは、シガレットに用いられるパッケージの主タイプであるばかりでなく他の物品にも用いられる。スタンダードなヒンジ蓋付きボックスは、断面が直角の直立して横断方向を向くパックのエッジ部を備える直方体のデザインを有する。パックの寸法は、パックの内容物、特に、シガレットブロックの寸法に等しい。
【発明の開示】
【発明が解決しようとする課題】
【０００３】
この発明の目的は、そのようなヒンジ蓋付きボックスの開発を更に進めて、ヒンジ蓋付きボックスの基本構造を維持しつつも、ボックスが一方においては美しい外観を備えるとともに、他方においては挿入物をパック内に容易に収容することが可能なように改良することである。
【課題を解決するための手段】
【０００４】
この目的を達成するために、この発明のヒンジ蓋付きボックスは、パックの内容物、特に、シガレットブロックの上方、および/または、下方に、少なくとも、上部壁および蓋の前部壁および蓋の後部壁、および/または、少なくとも、底部壁およびボックスの前部壁、およびボックスの後部壁によって区画されるキャビティまたは空洞部が形成される点を特徴とする。
【０００５】
したがって、この発明のヒンジ蓋付きボックスの場合に空洞部またはフリーなスペースを形成するために、ボックスの前部壁とボックスの後部壁が、パックの内容物、すなわち、シガレットブロックを越えて、底部領域に延出されるか、および/または、蓋の前部壁と蓋の後部壁が、シガレットブロックを越えて、上部領域に延出される。
【０００６】
１つの特徴は、上部壁および/または底部壁が、全体として、または部分的に、側部壁の曲折タブから形成される点、すなわち、特に、上部タブが、内側の側部タブの連続部として上部壁または底部壁、および/または、空洞部の境界のサブ領域を形成する点である。
【０００７】
ヒンジ蓋付きボックスの１つの特別な形態は、必須要件としてアーチ状または多角形状に設計される底部壁および/または端部壁に存し、前記のアーチ状または多角形状は、１つの側部壁またはカラーの一方の側部壁から他方へと、特に、パックの仮想中央垂直面に対し対称に延出する。１つの特別に有利な形態は、上部壁および/または底部壁が、３つの壁領域、すなわち、２つの横方向のアーチ状のまたは斜めの壁領域と、中央の平坦なまたは横断方向を向く壁領域を含む形態である。アーチ状の壁領域は、長円形の設計であること、換言すれば、側部壁に向かう領域が比較的顕著な円形を呈し、中央の壁領域に向かうなだらかな遷移部を備えることが好ましい。
【０００８】
直方体のパック内容物、特にシガレットブロックは、底部壁および/または上部壁の領域の外に配置されるので、その結果、底部壁および/または上部壁の領域におけるパックの内部に空洞部または自由な室が形成される。前記の室は、パックの挿入物、例えば、印刷媒体またはクーポンのみならず、物品を収容するように機能する。
【０００９】
この発明の更なる特徴は、模範具体例を参照しつつ、以下により詳細に説明される。
【発明を実施するための最良の形態】
【００１０】
図示のパックは、シガレット用ヒンジ蓋付きボックスである。このタイプのパックは、(底部の)ボックス部１０、(上部の)蓋１１、および、別体のブランクから形成されるカラー１２を含む。パックの内容物は、直方体の物品、すなわち、シガレットブロック１３、言い換えれば、紙または錫箔製の包装材を伴って形成されたシガレットのグループである。
【００１１】
ボックス部１０は、ボックスの前部壁１４、これに対向して配置されたボックスの後部壁１５、幅が狭い直立したボックスの両側部壁１６、および底部壁１７によって形成されている。対応して、蓋１１は、蓋の前部壁１８、蓋の後部壁１９、蓋の両側部壁２０、および、上部壁２１を含む。ボックス部１０と蓋１１は、横断方向を向く直線状の関節２２によって、ヒンジ蓋付きボックスの後部領域においてピボット可能な態様で、互いに接続される。
【００１２】
カラー１２は、カラーの前部壁２３とカラーの両側部壁２４を含む。カラー１２は、ボックス部１０に固定される、すなわち、ボックスの前部壁１４、および/または、ボックスの両側部壁１６に接着される。カラー１２の上部サブ領域は、ボックス部１０から突出する。正確に言えば、シガレットブロック１３の高さに(ほぼ)対応して突出する。
【００１３】
底部壁１７および/または上部壁２１は、特別な態様に設計される。図１〜図５の模範具体例の場合は、底部壁１７と上部壁２１は、同一の形態をなしているので、ヒンジ蓋付きボックスは、−横断方向を向く仮想中心面に関し−対称な形状を備える。
【００１４】
この模範具体例の場合は、底部壁１７、したがって、上部壁２１は必ずアーチ状の形状を呈する。特徴は、底部壁１７および/または上部壁２１の横方向の領域にある。すなわち、ヒンジ蓋付きボックスの両側部壁１６、２０に向かう領域が、アーチ状の形態、つまり、アーチ状の壁の領域、すなわち、側部セクション２５を形成する点にある。これらの領域は、パックの直立側部壁に向かって横方向に遷移する。底部壁１７および/または上部壁２１の中央領域においては、この側部セクション２５は、中央領域２６に向かって平坦に、横断的に、または水平方向に遷移する。
【００１５】
底部壁１７と上部壁２１は、特徴的に、前記両側部壁、すなわち、ボックスの両側部壁１６および蓋の両側壁２０にそれぞれ接続された対応した形状を備える曲折タブを含む。これは、内側のボックス側部タブ２９および蓋の側部タブ３０の連続部として設計される端部タブ２７、２８を含んでいる。側部タブ２９、３０は、二重層のボックスの両側部壁１６と蓋の両側壁２０の一部である。外側のボックスの側部タブ３１と蓋の側部タブ３２は、ボックスの側部壁１６と蓋の側部壁２０の領域にのみそれぞれ延出するので、関連する側部壁１６、２０は、上部と底部の端末部として、外側の横断方向エッジ部３３、３４を備える。
【００１６】
端部タブ２７，２８は、上部壁２１と底部壁１７の平坦な中央セクション２６内に延出する。１つの特徴は、図示の形態によって形成され、この場合、上部壁２１と底部壁１７に属する２つの側部セクション２５が、横断方向を指向する周辺エッジ部、特に、垂直な中心パック面を介して互いに向き合って接する。したがって、側部セクション２５の一方の端部領域は、水平方向の平坦な態様を指向する。
【００１７】
更に、中央セクション２６の領域の外側に、１つの被覆部が、好ましくは、この平坦な領域の幅全体に亘って、設けられる。この被腹部は、側部セクション２５の互いに向き合う(端部)領域を互いに接続する。これは、上部壁２１と底部壁１７の横断方向に亘って延出するクロスピース３５を含む。このクロスピース３５は、蓋の前部壁１８と蓋の後部壁１９(上部壁２１)の間の接続部として、および、ボックスの前部壁１４とボックスの後部壁１５(底部壁１７)の間の接続部として設計される(図５参照)。対向する側部セクション２５は、クロスピース３５の内側に、特に接着によって、接続される。
【００１８】
ブランク(図５)は、特別な態様で設計される。センターピース(３６)は、ボックスの後部壁１５、蓋の後部壁１９、および、それらに接続された内側の側部タブ２９、３０を含む。端部タブ２７、２８は、側部タブの延出部内に伸びる。センターピース３６は、上部ピース３７、３８によってクロスピース３５を介してボックスの前部壁１４およびボックスの側部タブ３１、および、蓋の側部タブ３２を備える蓋の前部壁１８と接している。また、上部ピース３８には、蓋の前部壁１８の内側と向き合って折り重ねられる蓋の内側タブ３９が設けられる。
【００１９】
アーチ状の側部セクション２５を形成するために、端部タブ２７、２８の形状形成は、対応して準備される端部タブ２７、２８のおかげで特別なツールを要せずに行うことができる。これらの端部タブは、横断方向を向く折り目４０を備えており、これらの折り目は、打ち抜き加工によって展開ブランクの面に形成される。折り目４０は、アーチ型の形状によって作られる軌跡に応じて互いに異なる間隔で形成される。言い換えれば、曲率が比較的大きい領域においては、間隔が狭い。クロスピース３５もまた折り目４０を備えており、外観が一様な構造の上部壁２１と底部壁１７を提供する。
【００２０】
寸法が安定したヒンジ蓋付きボックスを提供するために、端部タブ２７，２８は、少なくとも、アーチ状の側部セクション２５の領域において、一方においては、対応するアーチ状の輪郭４１を備えるように設計されるボックスの前部壁１４およびボックスの後部壁１５の自由なエッジ部に支持されるとともに、アーチ状の輪郭４１と接する蓋の前部壁を支持する。寸法は、ボックスの側部タブ２９と蓋の側部タブ３０が、パックの側部壁の幅よりも(僅かに)小さくなるように、他方においては、拡幅部分４２の横断方向の寸法が、パックおよび/またはパックの側部壁の幅に(ほぼ)対応するように選択される。
【００２１】
１つの特徴は、輪郭４１の形状によって形成される。これは、どちらの場合も、長円形セクション４３(図６参照)および直線状の中間セクション４４を含む。上部壁２１(または底部壁１７)の先端区画は、したがって、中間の中央セクション２６に対応する水平な中間セクション４４を伴う２つの長円形セクション４３を含む。
【００２２】
セクション４３、４４の寸法は、正確には、一方においては長円セクション４３の軸すなわち長軸ａと短軸ｂ、他方においては、ヒンジ蓋付きボックスの全幅Ｂに対応して互いに次のように調整される。
すなわち、
０．２  ｘ  Ｂ  ≦  ａ  ≦  ０．４  ｘ  Ｂ
また、次のようにも規定できる、すなわち、
０．２  ｘ  （Ｂ/２−ａ）＜  ｂ  ＜  ３  ｘ  （Ｂ/２−ａ）
中央セクション２６に対応する中間セクション４４の幅は、Ｂ−２ａから計算することができる。
【００２３】
パックの別の特徴は、（先端部の）蓋の閉鎖エッジ部４５が、底部のボックスの閉鎖エッジ部４６から離間される点である。このことは、横断方向を向くストリップ状の開口部４７をもたらし、この領域におけるパックの別の特徴は、(先端部の)蓋の閉鎖エッジ部４５が、底部のボックスの閉鎖エッジ部４６から離間されることである。このことは、横断方向を向くストリップ状の開口部４７をもたらし、カラーの前部壁２３が、この区域に見える。閉鎖エッジ部４５、４６は、互いに平行に延出し、ヒンジ蓋付きボックスの長手方向を横断する方向を向く。
【００２４】
１つの特別なヒンジ蓋付きボックスが図７に示されている。これは、上部の区域が、上に述べた態様で、すなわち、言い換えれば蓋１１に関して、アーチ状の輪郭の上部壁２１を備えるように設計される。底部区域においては、このヒンジ蓋付きボックスは、従来どおりのデザイン、すなわち、水平方向すなわち横断方向を向く平坦な底部壁４８を備えている。従来のパックと同様、底部のコーナータブ４９は、底部壁４８の内側と接している。これらは、内側のボックスの側部タブ２９に接続されている。
【００２５】
ボックスの内容物、すなわち、シガレットブロック１３は、底部壁１７および/またはアーチ状の輪郭を備える上記のヒンジ蓋付きボックス内において、前記アーチ状の造形領域外にとどまるように配置される。空洞部または室５０、５１がこのようにしてシガレットブロックの上方と下方に生じる。この室は、一方においては、上方と下方で特殊な態様で形成される上部壁２１と底部壁１７、および、シガレットブロック１３によって限られるとともに、他方、横断方向においては、対応して延出し形成されたボックスの前部壁１４、ボックスの後部壁１５および蓋の前部壁１８と蓋の後部壁１９によって限られる。この空洞部または室は、ヒンジ蓋付きボックス用の挿入物、例えば、広告目的の説明印刷媒体またはクーポンの収納に適切である。しかしながら、室５０、５１の一方および/または他方に有用な物品を収容することも可能である。図７の具体例の場合には、シガレットブロック１３は、底部壁４８または底部のコーナータブ４９の面に直接接している。
【００２６】
ヒンジ蓋付きボックスの１つの特別な形態が、図８〜１０に示される。上部壁２１は、多角形の態様で互いに接する専ら平坦な壁領域を含む。２つの側部セクション２５は、屋根の態様で、斜め方向を向いている。脚部として設計されるこれらの側部セクション２５は、一方において、直立するボックスの側部壁１６、２０に対して、他方において、水平な中央セクション２６に対して、１つの鈍角を囲む。図１０からわかるように、側部セクション２５は、横断方向の曲折線５３によって、一方において、側部壁および/または内側の側部タブ３０から、他方において、水平方向に向く上部脚部５２から区画される。このパックの場合は、側部セクション２５と上部脚部５２が、蓋の側部タブ３０の連続部分として設計されてもよい。更には、クロスピース３５が、中央セクション２６の領域における外側カバーとして設けられる。このクロスピースは、図８〜１０の模範具体例においては、先行する模範具体例におけるよりも大きな幅を備えるように設計される。
【００２７】
パックの内容物(シガレットブロック１３)を越えて延出する蓋の前部壁１８と蓋の後部壁１９は、突出領域における台形または多角形の輪郭部４１を備えて設計される(図１０参照)。その端部タブ２７、２８、または、側部セクション２５は、輪郭部４１によって形成される自由なエッジ部の拡幅部４２を介して支持される。これによって、屋根状または台形状の輪郭の、正確に言うと、ヒンジ蓋付きボックスの中央垂直面に関して対称な室５０が生じる。この模範具体例が、(図１および２と同様に)端部側としての底部側と同じように設計されることも可能である。更に、図１０のブランクは、底部壁４８の領域において、図７の模範具体例に対応した態様で設計される。
【００２８】
図１１〜１３のヒンジ蓋付きボックスの場合は、パックの内容物を越えるヒンジ蓋付きボックスの(直立)面、すなわち、ボックスの側部壁１６と蓋の側部壁２０における両側部壁の延出部から生じる室５０が、シガレットブロック１３（の上方）に設けられる。側部壁１６、２０の突出部分は、長さを異にするのでその結果として、室５０は、台形または三角形(垂直断面)である。図示の具体例においては、側部壁１６、２０の両層が、室５０の領域内、言い換えれば、外側の(蓋の)側部タブ３０のみならず外側の(蓋の)側部タブ３２内まで延出されている。側部壁１６、２０は、外縁エッジ部５４、５５まで延出している。内側の側部タブ３０に接続された端部タブ２７、２８は、それぞれ、鋭角と鈍角で、上部壁２１の面内に転向される。この上部壁は、ヒンジ蓋付きボックス(図１３）の全幅に亘って延出する曲折タブによって形成されている。端部タブ２７、２８は、それぞれに、設計を異にする。言い換えれば、端部タブ２７は長方形で、端部タブ２８は、蓋１１の一部および/または蓋の曲折タブの傾斜配置のために台形である。
【００２９】
室５０の輪郭のため、蓋の前部壁１８と蓋の後部壁１９は、台形の設計をなしている(図１３）。蓋の後部壁１９は、斜め方向を向いた曲折線５６によって、(長方形の)上部壁２１から区画されている。ブランクの隣接壁領域と曲折タブは、かくてブランクの長手方向延出部に対して斜めの方向を指向している(図１３)。蓋の前部壁１８と蓋の後部壁１９が対応する大きさに決められるために、ヒンジ蓋付きボックスは、-室５０が三角形の場合-上部壁２１が、シガレットブロック１３の上部限界に直接終わるように、すなわち、外縁エッジ部５５が、シガレットブロック１３とほぼ同じ部位に位置するように設計されることができる。更に、ヒンジ蓋付きボックスのこの形態は、底部領域にも室を備えることも可能である。
【００３０】
一方における曲折線５６と展開ブランク中の蓋の閉鎖エッジ部４５の傾斜した配置は、ヒンジ蓋付きボックスが完成した状態にあるとき、蓋の閉鎖エッジ部４５が、正確に、直立したパックのエッジ部を横断して、かくて、ボックスの閉鎖エッジ部４６に平行に配置されることを保証する。
【００３１】
図１４、１５および１６のヒンジ蓋付きボックスの場合には、蓋１１(または底部)の端部側領域が、特別な態様で設計される。内側の蓋の側部タブ３０の端部タブ２７、２８は、パックの内容物を越えて延出され、鋭角を形成して折り曲げられ、その結果、上部壁２１の一部として下方に向く側部セクション２５が形成される。端部タブ２７、２８の上部脚部５２は、パックの長手方向の幅および/またはシガレットブロック１３を横断する位置に曲折され、内側においてクロスピース３５に接続される。クロスピースは、中央セクション２６を形成する。上部脚部５２は、接着等によって内側においてクロスピース３５の周辺領域に接続されている。結果として生じた中央セクション２６は、上部においてシガレットブロック１３と向き合って接してもよく、シガレットブロックから離間しても差し支えない。この形態は、シガレットブロック１３の上部に形成される室５０の特別な輪郭を提供する。この形態は、ふさわしいならば、断面が三角形の２つのサブ室を含む。
【００３２】
この模範具体例の場合は、クロスピース３５が、大きい幅を備え、上部壁２１の幅全体に亘って、多少ともこれを越えるように設計される(図１６)。内側の側部タブ３０に続く端部タブ２７、２８は、外側の蓋の側部タブ３２と向き合って接しており、単に打ち抜きカット部５７によってのみ分離されている。この模範具体例の場合は、蓋の前部壁１８と蓋の後部壁１９の輪郭が、上部壁２１のそれぞれの形状に合致する。
【００３３】
端部領域と底部領域は、ヒンジ蓋付きボックスのすべての形態を通じて同一設計である。しかしながら、有利な形態は、１つの室が、蓋の領域にのみ設けられる形態である。更に、ヒンジ蓋付きボックスは、図示のように、または、代替案として、蓋が閉じられたとき、蓋の閉鎖エッジ部４５とボックスの閉鎖エッジ部４６が互いに向き合って接するように設計してもよい。
参照符号一覧
１０…ボックス部，１１…蓋，１２…カラー，１３…シガレットブロック，１４…ボックス前部壁，１５…ボックス後部壁，１６…ボックス側部壁，１７…底部壁，１８…蓋の前部壁，１９…蓋の後部壁，２０…蓋の側部壁，２１…上部壁，２２…直線状の関節部，２３…カラーの前部壁，２４…カラーの側部壁，２５…側部セクション，２６…中央セクション，２７…端部タブ，２８…端部タブ，２９…ボックスの側部タブ，３０…蓋の側部タブ，３１…ボックスの側部タブ，３２…蓋の側部タブ，３３…横断方向エッジ部，３４…横断方向エッジ部，３５…クロスピース，３６…センターピース，３７…上部ピース，３８…上部ピース，３９…蓋の内側タブ，４０…折り目，４１…輪郭部，４２…拡幅部分，４３…長円形セクション，４４…直線状の中間セクション，４５…蓋の閉鎖エッジ部，４６…ボックスの閉鎖エッジ部，４７…開口部，４８…底部壁，４９…底部のコーナータブ，５０…空洞部，５１…空洞部，５２…上部脚部，５３…曲折線，５４…外縁エッジ部，５５…外縁エッジ部，５６…曲折線，５７…打ち抜きカット部，ａ…長軸，ｂ…短軸，Ｂ…全幅。
【図面の簡単な説明】
【００３４】
【図１】蓋が開いた状態のシガレット用ヒンジ蓋付きボックスの斜視図。
【図２】蓋が閉じた状態にある図１のパック。
【００３５】
【図３】III−III断面に沿う垂直断面における図２のヒンジ蓋付きボックス。
【図４】図２のヒンジ蓋付きボックスの正面図。
【図５】図１〜図４のヒンジ蓋付きボックスを製造するためのブランクの展開図。
【図６】パックの上部壁の幾何学的形状を説明するダイアグラム。
【図７】図３に対応する垂直断面におけるヒンジ蓋付きボックスの別の具体例。
【図８】図７と同様の垂直断面におけるパックの更に別の具体例。
【図９】図８のヒンジ蓋付きボックスの正面斜視図。
【図１０】図８、９のヒンジ蓋付きボックスのための展開ブランク。
【図１１】図８と同様な垂直断面におけるヒンジ蓋付きボックスの更に別の具体例。
【図１２】図１１のヒンジ蓋付きボックスの正面斜視図。
【図１３】図１１、１２のヒンジ蓋付きボックスのための展開ブランク。
【図１４】図１１と同様な垂直断面におけるヒンジ蓋付きボックスの更に別の具体例。
【図１５】図１４のヒンジ蓋付きボックスの正面斜視図。
【図１６】図１４、１５のヒンジ蓋付きボックスのための展開ブランク。
【図１】
2007500657.tif 000003
【図２】
2007500657.tif 000004
【図３】
2007500657.tif 000005
【図４】
2007500657.tif 000006
【図５】
2007500657.tif 000007
【図６】
2007500657.tif 000008
【図７】
2007500657.tif 000009
【図８】
2007500657.tif 000010
【図９】
2007500657.tif 000011
【図１０】
2007500657.tif 000012
【図１１】
2007500657.tif 000013
【図１２】
2007500657.tif 000014
【図１３】
2007500657.tif 000015
【図１４】
2007500657.tif 000016
【図１５】
2007500657.tif 000017
【図１６】
2007500657.tif 000018
【国際調査報告】
2007500657.tif 000019
2007500657.tif 000020
2007500657.tif 000021
2007500657.tif 000022
2007500657.tif 000023
2007500657.tif 000024